(57)【特許請求の範囲】
【請求項１】
建物の各階層に設けられた梁に、壁パネルとともに取り付けられるサッシの取付け構造であって、
一階層において、前記壁パネルと前記サッシとを水平方向に並べて配置し、
前記一階層の下部側の梁及び上部側の梁に対して、前記壁パネルを、前記下部側の梁又は前記上部側の梁に剛接合されたそれぞれのブラケットを介して固定し、
前記下部側の梁の上面には、第１下ブラケット片が溶接により剛接合され、
前記第１下ブラケット片の上端には、第２下ブラケット片が剛接合され、
前記第２下ブラケット片には、下支持板がボルト及びナットにより取り付けられており、
前記サッシの下端部は、ボルト及びナットによって前記下支持板に固定されるとともに、
前記上部側の梁の下面には、第１上ブラケット片が溶接により剛接合され、
前記第１上ブラケット片の下端には、第２上ブラケット片が剛接合され、
前記第２上ブラケット片は、上支持板がボルト及びナットにより取り付けられており、
前記サッシの上端部は、ボルト及びナットによって前記上支持板に固定されることにより、前記サッシは、前記上部側の梁及び前記下部側の梁に接合されていることを特徴とするサッシの取付け構造。
【請求項２】
各壁パネルとサッシとの間にシールを介在させたことを特徴とする請求項１に記載のサッシの取付け構造。
【請求項３】
鉛直方向に並ぶ壁パネル間に間隔を設けるとともに、その間隔に対応して前記サッシを配置したことを特徴とする請求項１または２に記載のサッシの取付け構造。
【請求項４】
各壁パネルは、その上下両端部が水平方向に隣接する他の壁パネルの上下両端部と互い違いに重なるように配列されていることを特徴とする請求項３に記載のサッシの取付け構造。
【発明の詳細な説明】
【技術分野】
【０００１】
この発明は、多層階ビル等の建物における窓用のサッシの取付け構造に関するものである。
【背景技術】
【０００２】
従来、この種のサッシの取付け構造としては、例えば特許文献１に開示されるような構成が提案されている。この従来構成は、サッシが損壊することなく建物の層間変位に追従できるようにすることを意図している。そのため、この特許文献１において、サッシは、躯体にブラケットを介して複数本のボルトにより取付けられている。
【先行技術文献】
【特許文献】
【０００３】
【特許文献１】実用新案登録第３０１１５５８号公報
【発明の概要】
【発明が解決しようとする課題】
【０００４】
ところが、この特許文献１のサッシの取付け構造においては、サッシを支持するブラケットがボルト締めにより、いわゆるピン接合によって固定されている。このため、地震発生時に上側の梁と下側の梁との間に層間変位が生じると、サッシとその両側の壁パネルとの変位が大きくなる。すなわち、図１０に示すように、特許文献１に記載された従来のサッシの取付け構造においては、サッシ１２３を支持する下ブラケット１２８及び上ブラケット１２９が、上下の梁２１に対して支持点１２３ａにおいてピン接合状態で取付けられている。一方、図１２に示す壁パネル１２２は梁２１にブラケットによって直接的に固定されている。従って、梁２１に対する壁パネル１２２の支持点１２２ａとサッシ１２３の支持点１２３ａの位置が大きく異なる。このため、図１２に示すように、前記層間変位が生じると、壁パネル１２２とサッシ１２３との間の相対変位が大きくなり、壁パネル１２２とサッシ１２３との間のシールが破断しやすくなる。
【０００５】
この発明は、このような従来の技術に存在する問題点に着目してなされたものである。その目的は、地震発生時の層間変位にともなう壁パネルとサッシとの間の相対変位や変形を低減することが可能なサッシの取付け構造を提供することにある。
【課題を解決するための手段】
【０００６】
上記の目的を達成するために、この発明は、建物の各階層に設けられた梁に、壁パネルとともに取り付けられるサッシの取付け構造であって、一階層において、前記壁パネルと前記サッシとを水平方向に並べて配置し、前記一階層の下部側の梁及び上部側の梁に対して、前記壁パネルを、前記下部側の梁又は前記上部側の梁に剛接合されたそれぞれのブラケットを介して固定し、前記下部側の梁の上面には、第１下ブラケット片が溶接により剛接合され、前記第１下ブラケット片の上端には、第２下ブラケット片が剛接合され、前記第２下ブラケット片には、下支持板がボルト及びナットにより取り付けられており、前記
サッシの下端部は、ボルト及びナットによって前記下支持板に固定されるとともに、前記上部側の梁の下面には、第１上ブラケット片が溶接により剛接合され、前記第１上ブラケット片の下端には、第２上ブラケット片が剛接合され、前記第２上ブラケット片は、上支持板がボルト及びナットにより取り付けられており、前記サッシの上端部は、ボルト及びナットによって前記上支持板に固定されることにより、前記サッシは、前記上部側の梁及び前記下部側の梁に接合されていることを特徴としている。
【０００７】
この発明のサッシの取付け構造においては、地震発生時に上下の梁間に層間変位が生じた場合、壁パネルとサッシとの間の変位を低減することができて、サッシと壁パネルとの間のシールが損壊したり、サッシやサッシ内のガラスが損壊したりするおそれを抑制することができる。
【０００８】
各壁パネルとサッシとの間にシールを介在させることが好ましい。
鉛直方向に並ぶ壁パネル間に間隔を設けるとともに、その間隔に対応して前記サッシを配置するとよい。
【０００９】
各壁パネルは、その上下両端部が水平方向に隣接する他の壁パネルの上下両端部と互い違いに重なるように配列されていることが好ましい。
【発明の効果】
【００１０】
以上のように、この発明のサッシの取付け構造によれば、地震発生時の層間変位にともなうサッシと壁パネルとの相対の変位を低減することができるという効果を発揮する。
【図面の簡単な説明】
【００１１】
【図１】この発明の一実施形態を示す建物の斜視図。
【図２】図１の建物における外壁部の一部を拡大して示す部分正面図。
【図３】図２において壁パネルを除いて示す断面図。
【図４】図２の外壁部における壁パネルを拡大して示す斜視図。
【図５】図４の壁パネルの下端部をさらに拡大して示す部分斜視図。
【図６】図２の６−６線におけるサッシの取付け構造を拡大して示す部分断面図。
【図７】図６の７部分を拡大して示す要部断面図。
【図８】図６の８部分を拡大して示す要部断面図。
【図９】実施形態のサッシの取付け構造について層間変位にともなう動作を説明する説明図。
【図１０】従来のサッシの取付け構造について層間変位にともなう動作を説明する説明図。
【図１１】実施形態のサッシの取付け構造について層間変位にともなう相対変位を説明する説明図。
【図１２】従来のサッシの取付け構造について層間変位にともなう相対変位を説明する説明図。
【発明を実施するための形態】
【００１２】
以下に、この発明を具体化したサッシの取付け構造の一実施形態を、図面に従って説明する。
図２及び図３に示すように、建物の各階層には、梁２１がそれぞれ配置されている。図６に示すように、梁２１の上部には各階層の床スラブ２６が設置されるとともに、下部には天井パネル２７が設置されている。
【００１３】
図１及び図２に示すように、この実施形態の建物の外壁は、多数枚の壁パネル２２を配列することにより構成されている。各壁パネル２２は、その上下両端部が水平方向に隣接する他の壁パネル２２の上下両端部と互い違いに重なるように、かつ鉛直方向に並ぶ他の壁パネル２２との間に窓用の開口が形成されるように間隔Ｓをおいて配置されている。図４及び図５に示すように、前記壁パネル２２はコンクリート材により縦長四角板状に構成され、その前面が上下方向の中央部ほどが凸状となるように円弧状に湾曲形成されている。壁パネル２２の裏面を除く表面には、タイル２２ｃが埋設されている。図３及び図１１に示すように、前記壁パネル２２は、その裏面の上下両端部の支持点２２ａにおいて前記梁２１にブラケット２２ｂを介して剛接合されている。ここで、壁パネル２２の下部側のブラケット２２ｂは梁２１の上面に固定され、上部側のブラケット２２ｂは梁２１の下面に固定されている。
【００１４】
図２及び図３に示すように、前記各間隔Ｓには、窓用のサッシ２３が配置されている。図３及び図１２に示すように、各サッシ２３の下辺は、下ブラケット２８を介して下側の梁２１の上面に剛接合されている。各サッシ２３の上辺は、上ブラケット２９を介して上側の梁２１の下面に剛接合されている。各サッシ２３には、ガラス２４，２５が嵌め込まれている。
【００１５】
従って、図３に示すように、前記サッシ２３のブラケット２８，２９と、その両側に隣接する壁パネル２２のブラケット２２ｂとは、水平方向に対応する高さに設定されている。
【００１６】
次に、前記建物の各階層の梁２１に対するサッシ２３の下ブラケット２８及び上ブラケット２９よりなる取付け構造について詳細に説明する。
まず、下ブラケット２８について説明すると、図３，図６及び図７に示すように、前記建物の各階層において下側の梁２１の上面には、左右一対の第１下ブラケット片３０が上方に突出した状態で溶接により剛接合されている。図７に示すように、各第１下ブラケット片３０の上端には、板材よりなる第２下ブラケット片３１が剛接合されている。この第２下ブラケット片３１の剛接合は、ボルト３２及びナット３３と、溶接とにより達成されている。各第２下ブラケット片３１には、下支持板３４が取付けられている。下支持板３４には組み付け誤差吸収用の上下方向に延びる長孔３４ａが形成され、その長孔３４ａと第２下ブラケット片３１の孔に挿通したボルト３５及びナット（図示しない）とにより、下支持板３４は上下方向の位置を調整して組み付け誤差を吸収できるようになっている。前記サッシ２３の下端部はボルト３９及びナット４０によって下支持板３４に固定されている。そして、前記ボルト３５，３９は、その軸線が鉛直方向になるように配置されている。従って、サッシ２３の下部及び下支持板３４は、第２下ブラケット片３１に剛接合され、その結果サッシ２３の下部は梁２１に剛接合されている。
【００１７】
次に、上ブラケット２９について説明すると、図３，図６及び図８に示すように、前記建物の各階層において上側の梁２１の下面には、左右一対の第１上ブラケット片４１が下方に突出した状態で溶接により剛接合されている。図８に示すように、各第１上ブラケット片４１の下端には、第２上ブラケット片４２が剛接合されている。この第２上ブラケット片４２の剛接合は、ボルト４３及びナット４４と、溶接とにより達成されている。各第２上ブラケット片４２には、上支持板４５が取付けられている。上支持板４５には組み付け誤差吸収用の上下方向に延びる長孔４５ａが形成され、この長孔４５ａと第２上ブラケット片４２に挿通したボルト４６及びナット（図示しない）とにより、上支持板４５の上下位置を調整して組み付け誤差を吸収できるようになっている。前記サッシ２３の上端部はボルト５０及びナット５１によって上支持板４５に固定されている。そして、前記ボルト４６，５０は、その軸線が鉛直方向になるように配置されている。従って、サッシ２３の上部及び上支持板４５は、第２上ブラケット片４２に剛接合され、その結果サッシ２３の上部は梁２１に剛接合されている。
【００１８】
各サッシ２３は壁パネル２２の内側の位置に配置され、サッシ２３と壁パネル２２との間の位置にはシール５２が充填によって介在されている。
次に、前記のように構成されたサッシの取付け構造について作用を説明する。
【００１９】
さて、この実施形態のサッシの取付け構造を備えた建物において、地震が発生すると、図９に示すように、各階層の上下の梁２１間に層間変位が生じる。この場合、窓用のサッシ２３が、上下の梁２１に剛接合された下ブラケット２８と上ブラケット２９との間に取付けられている。
【００２０】
そして、図１１に示すように、サッシ２３の支持点２３ａと壁パネル２２の支持点２２ａの高さがほとんど変わらないため、サッシ２３及び壁パネル２２は水平方向においてほとんど同じ動きをすることができる。従って、上下の梁２１間の層間変位にともなうサッシ２３と壁パネル２２との相対変位を最小にすることができ、シール５２の破断のおそれを抑制できる。
【００２１】
これに対し、図１０及び図１２に示すように、前述の特許文献１に記載された従来のサッシの取付け構造においては、壁パネル１２２の支持点１２２ａとサッシ１２３の支持点１２３ａとが実施形態の構造に比較して鉛直方向に離れているため、サッシ１２３の支持点１２３ａがピン接合であることも相まって、壁パネル１２２とサッシ１２３のとの相対変位が大きくなり、シール破断が生じやすくなる。なお、図１１及び図１２は、動作を誇張した模式図であり、各部の変形を無視するとともに、寸法誤差を許容して描いてある。
【００２２】
従って、この実施形態によれば、以下のような効果を得ることができる。
（１）  この実施形態のサッシの取付け構造では、建物の階層の下側の梁２１に上方へ突出する下ブラケット２８が剛接合されるとともに、上側の梁２１に下方へ突出する上ブラケット２９が剛接合されている。そして、この下ブラケット２８と上ブラケット２９との間にサッシ２３が取付けられている。このため、サッシ２３の上下寸法が短い場合であって、地震発生時に上下の梁２１間に層間変位が生じても、サッシ２３と壁パネル２２との相対変位を小さくできるので、シール破断の問題をより確実に少なくできる。
【００２３】
（２）  この実施形態のサッシの取付け構造では、サッシ２３と壁パネル２２との間の相対変位を小さくできるため、サッシ２３に無理な外力が作用することは少ない。このため、サッシ２３や、サッシ２３内のガラス等の損壊を抑制できる。
【００２４】
（３）  このサッシの取付け構造においては、サッシ２３のブラケット４８,４９を梁２１に剛接合しただけであるから、部品点数が増えることはなく、構成が簡単である。
（変更例）
なお、この実施形態は、次のように変更して具体化することも可能である。
【００２５】
・  本発明を複数階層の建物だけではなく、単一階層の建物に適用すること。
・  第１，第２下ブラケット片３０，３１、第１，第２上ブラケット片４１，４２をそれぞれ一体化すること。
【００２６】
・  壁パネル２２が互い違いにされていない建物に本発明を適用すること。
【符号の説明】
【００２７】
２１…梁、２２…壁パネル、２３…サッシ、２８…下ブラケット、２９…上ブラケット、Ｓ…間隔、５２…シール。
【図１】
0005811519.tif 000002
【図２】
0005811519.tif 000003
【図３】
0005811519.tif 000004
【図４】
0005811519.tif 000005
【図５】
0005811519.tif 000006
【図６】
0005811519.tif 000007
【図７】
0005811519.tif 000008
【図８】
0005811519.tif 000009
【図９】
0005811519.tif 000010
【図１０】
0005811519.tif 000011
【図１１】
0005811519.tif 000012
【図１２】
0005811519.tif 000013